(57)【要約】【課題】暖房用熱媒の温度が高くなり易い状態にしてエネルギー効率を高めることができる技術を提供する。【解決手段】ヒートポンプによって給湯用熱媒を加熱する給湯加熱運転と、前記ヒートポンプによって暖房用熱媒を加熱する暖房加熱運転と、補助熱源機によって暖房用熱媒を加熱する補助加熱運転を実行可能であり、前記給湯加熱運転と前記暖房加熱運転が同時に実行され、かつ、前記補助加熱運転が実行されている場合に、制御装置が、流量調整手段を制御してタンクと前記ヒートポンプの間を循環する給湯用熱媒の流量を減少させる減少処理を実行する、給湯暖房システム。【選択図】図４
2019035562.tif 000002
【特許請求の範囲】
【請求項１】
冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、
暖房用熱媒を燃料の燃焼によって加熱する補助熱源機と、
前記ヒートポンプによって加熱された給湯用熱媒を蓄えるタンクと、
給湯用熱媒を利用して給湯する給湯装置と、
暖房用熱媒を利用して暖房する暖房装置と、
前記タンクと前記ヒートポンプの間を循環する給湯用熱媒の流量を調整する流量調整手段と、
制御装置を備えており、
前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、
前記給湯加熱運転と前記暖房加熱運転が同時に実行され、かつ、前記補助加熱運転が実行されている場合に、前記制御装置が、前記流量調整手段を制御して前記タンクと前記ヒートポンプの間を循環する給湯用熱媒の流量を減少させる減少処理を実行する、給湯暖房システム。
【請求項２】
前記タンクに蓄えられている給湯用熱媒の蓄熱量を検出する蓄熱量検出手段を更に備えており、
前記蓄熱量検出手段によって検出される蓄熱量が所定の第１基準蓄熱量に満たない場合に、前記制御装置が、前記減少処理を禁止する、請求項１に記載の給湯暖房システム。
【請求項３】
前記減少処理が実行された後に、前記給湯加熱運転と前記暖房加熱運転が同時に実行され、かつ、前記補助加熱運転が実行されていない場合に、前記制御装置が、前記流量調整手段を制御して前記タンクと前記ヒートポンプの間を循環する給湯用熱媒の流量を増大させる増大処理を実行する、請求項１又は２に記載の給湯暖房システム。
【請求項４】
冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、
前記ヒートポンプによって加熱された暖房用熱媒の温度を検出する温度検出手段と、
暖房用熱媒を燃料の燃焼によって加熱する補助熱源機と、
前記ヒートポンプによって加熱された給湯用熱媒を蓄えるタンクと、
給湯用熱媒を利用して給湯する給湯装置と、
暖房用熱媒を利用して暖房する暖房装置と、
前記タンクと前記ヒートポンプの間を循環する給湯用熱媒の流量を調整する流量調整手段と、
制御装置を備えており、
前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、
前記給湯加熱運転と前記暖房加熱運転が同時に実行され、かつ、前記補助加熱運転が実行されていない状態で、前記温度検出手段によって検出される暖房用熱媒の温度が所定の第１基準温度以下である場合に、前記制御装置が、前記流量調整手段を制御して前記タンクと前記ヒートポンプの間を循環する給湯用熱媒の流量を減少させる減少処理を実行する、給湯暖房システム。
【請求項５】
前記給湯加熱運転と前記暖房加熱運転が同時に実行され、かつ、前記補助加熱運転が実行されていない状態で、前記温度検出手段によって検出される暖房用熱媒の温度が所定の第１基準時間にわたって前記所定の第１基準温度以下である場合に、前記制御装置が、前記減少処理を実行する、請求項４に記載の給湯暖房システム。
【請求項６】
前記タンクに蓄えられている給湯用熱媒の蓄熱量を検出する蓄熱量検出手段を更に備えており、
前記蓄熱量検出手段によって検出される蓄熱量が所定の第２基準蓄熱量に満たない場合に、前記制御装置が、前記減少処理を禁止する、請求項４又は５に記載の給湯暖房システム。
【請求項７】
前記減少処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準温度以上である場合は、前記制御装置が、前記流量調整手段を制御して前記タンクと前記ヒートポンプの間を循環する給湯用熱媒の流量を増大させる増大処理を実行する、請求項４から６のいずれか一項に記載の給湯暖房システム。
【請求項８】
前記減少処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準時間にわたって前記所定の第２基準温度以上である場合に、前記制御装置が、前記増大処理を実行する、請求項７に記載の給湯暖房システム。
【発明の詳細な説明】
【技術分野】
【０００１】
本明細書に開示する技術は、給湯暖房システムに関する。
【背景技術】
【０００２】
特許文献１に開示されている給湯暖房システムは、ヒートポンプと補助熱源機とタンクを備えている。ヒートポンプは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えている。補助熱源機は、暖房用熱媒を燃料の燃焼によって加熱する。タンクは、ヒートポンプによって加熱された給湯用熱媒を蓄える。また、給湯暖房システムは、給湯用熱媒を利用して給湯する給湯装置と、暖房用熱媒を利用して暖房する暖房装置と、タンクとヒートポンプの間を循環する給湯用熱媒の流量を調整する流量調整手段と、制御装置を備えている。
【０００３】
この給湯暖房システムでは、ヒートポンプによって給湯用熱媒を加熱する給湯加熱運転と、ヒートポンプによって暖房用熱媒を加熱する暖房加熱運転と、補助熱源機によって暖房用熱媒を加熱する補助加熱運転を実行可能である。また、この給湯暖房システムでは、給湯加熱運転と暖房加熱運転が同時に実行される。
【先行技術文献】
【特許文献】
【０００４】
【特許文献１】特開２０１４−１６１０３号公報
【発明の概要】
【発明が解決しようとする課題】
【０００５】
給湯暖房システムで給湯加熱運転と暖房加熱運転が同時に実行されると、ヒートポンプにおける冷媒の熱が、熱交換によって暖房用熱媒と給湯用熱媒に分配される。そのため、冷媒の熱が暖房用熱媒の加熱と給湯用熱媒の加熱に同時に利用されるので、加熱が不十分になることがある。特に、暖房用熱媒の温度が十分に高まらないことがある。暖房用熱媒の温度が十分に高まらないと、補助加熱運転を行う必要が生じて、エネルギー効率を低下させてしまう。しかしながら、ヒートポンプで加熱された後の暖房用熱媒の温度を高める際に、ヒートポンプで加熱された後の給湯用熱媒の温度が低下してしまうと、給湯加熱運転に影響を及ぼしてしまう。本明細書は、給湯用熱媒と暖房用熱媒がヒートポンプによって同時に加熱される場合に、給湯用熱媒の温度を低下させることなく、暖房用熱媒の温度を高めることができる技術を提供する。
【課題を解決するための手段】
【０００６】
本明細書に開示する給湯暖房システムは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、暖房用熱媒を燃料の燃焼によって加熱する補助熱源機と、前記ヒートポンプによって加熱された給湯用熱媒を蓄えるタンクと、給湯用熱媒を利用して給湯する給湯装置と、暖房用熱媒を利用して暖房する暖房装置と、前記タンクと前記ヒートポンプの間を循環する給湯用熱媒の流量を調整する流量調整手段と、制御装置を備えている。この給湯暖房システムでは、前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、前記給湯加熱運転と前記暖房加熱運転が同時に実行され、かつ、前記補助加熱運転が実行されている場合に、前記制御装置が、前記流量調整手段を制御して前記タンクと前記ヒートポンプの間を循環する給湯用熱媒の流量を減少させる減少処理を実行する。
【０００７】
上記の給湯暖房システムでは、凝縮器において冷媒と給湯用熱媒の間で熱交換が行われて給湯用熱媒が加熱される。また、凝縮器において冷媒と暖房用熱媒の間で熱交換が行われて暖房用熱媒が加熱される。また、凝縮器での熱交換によって冷媒が凝縮する。比較的高温の冷媒が凝縮器に流入し、凝縮器で凝縮して、比較的低温の冷媒が凝縮器から流出する。この給湯暖房システムでは、給湯用熱媒を加熱する給湯加熱運転と暖房用熱媒を加熱する暖房加熱運転が同時に実行され、かつ、補助加熱運転が実行されている場合に、制御装置が流量調整手段を制御してタンクとヒートポンプの間を循環する給湯用熱媒の流量を減少させる減少処理を実行することによって、凝縮器において放熱する冷媒の熱量のうち給湯用熱媒の加熱に利用される熱量が少なくなり、凝縮器で冷媒が凝縮するときの過冷却領域が短くなる。その結果、給湯用熱媒の流量の減少後では、減少前よりも、凝縮器から流出する冷媒の温度が高くなる。
【０００８】
凝縮器では給湯用熱媒と暖房用熱媒が加熱される。暖房用熱媒は暖房装置で放熱した後も比較的高温であり、凝縮器に流入する暖房用熱媒の温度は比較的高温となっている。このため、ほとんどの場合、凝縮器から流出する冷媒の温度に比べて、凝縮器に流入する暖房用熱媒の方が高温になっている。そのため、凝縮器に流入する暖房用熱媒は、低温の冷媒との熱交換によって放熱し、一時的に温度が低下する。その後、暖房用熱媒は、より高温の冷媒との熱交換によって温度が上昇する。温度が高くなった暖房用熱媒が凝縮器から流出する。
【０００９】
給湯用熱媒の流量の減少前と減少後を比較すると、上述したように、給湯用熱媒の流量の減少後では、減少前よりも、凝縮器から流出する冷媒の温度が高くなる。そのため、凝縮器に流入する暖房用熱媒の温度と凝縮器から流出する冷媒の温度の差が小さくなる。その結果、凝縮器に流入する暖房用熱媒の温度が一時的に低下するときに、暖房用熱媒の温度の低下が比較的小さくなる。その分、給湯用熱媒の流量の減少後では、減少前よりも、凝縮器から流出する暖房用熱媒の温度が高くなる。
【００１０】
一方、給湯用熱媒は例えば水道から供給される冷たい水なので、凝縮器に流入する給湯用熱媒の温度は比較的低温であり、凝縮器から流出する冷媒の温度よりも低温になっている。そのため、凝縮器に流入する給湯用熱媒は、冷媒への放熱による一時的な温度低下を生じることがなく、常に高温の冷媒との熱交換によって温度上昇する。温度が高くなった給湯用熱媒が凝縮器から流出する。
【００１１】
給湯用熱媒の流量の減少前と減少後を比較すると、上述したように、暖房用熱媒の場合と異なり、給湯用熱媒は凝縮器において一時的に温度が低下することはないから、凝縮器から流出する冷媒の温度が高くなっても、凝縮器から流出する給湯用熱媒の温度は、ほぼ変化しない。
【００１２】
以上より、上記の給湯暖房システムによれば、給湯加熱運転と暖房加熱運転が同時に実行され、かつ、補助加熱運転が実行されている場合に、制御装置が、流量調整手段を制御してタンクとヒートポンプの間を循環する給湯用熱媒の流量を減少させる減少処理を実行することによって、上述したメカニズムにより、給湯用熱媒の温度を低下させることなく、暖房用熱媒の温度を高めることができる。これによって、補助加熱運転が実行されることを抑制して、エネルギー効率を高めることができる。
【００１３】
上記の給湯暖房システムは、前記タンクに蓄えられている給湯用熱媒の蓄熱量を検出する蓄熱量検出手段を更に備えていてもよい。また、前記蓄熱量検出手段によって検出される蓄熱量が所定の第１基準蓄熱量に満たない場合に、前記制御装置が、前記減少処理を禁止してもよい。
【００１４】
蓄熱量検出手段によって検出される蓄熱量が所定の第１基準蓄熱量に満たない場合には、タンクに蓄えられている給湯用熱媒の蓄熱量を速やかに増大させることが望ましい。したがって、この場合には、ヒートポンプによって加熱される給湯用熱媒の流量を減少させることは望ましくない。そのため、この場合には、制御装置が減少処理を禁止する。この構成によれば、ヒートポンプによって加熱される給湯用熱媒の流量を維持することができ、給湯用熱媒の流量が減少しない分、タンクに蓄えられる給湯用熱媒の蓄熱量を速やかに増大させることができる。
【００１５】
上記の給湯暖房システムにおいて、前記減少処理が実行された後に、前記給湯加熱運転と前記暖房加熱運転が同時に実行され、かつ、前記補助加熱運転が実行されていない場合に、前記制御装置が、前記流量調整手段を制御して前記タンクと前記ヒートポンプの間を循環する給湯用熱媒の流量を増大させる増大処理を実行してもよい。
【００１６】
減少処理が実行された後に、給湯加熱運転と暖房加熱運転が同時に実行され、かつ、補助加熱運転が実行されていない場合には、暖房用熱媒の温度が十分に高くなっていると考えられるので、暖房用熱媒の加熱に利用される熱量を減少させてもよい。また、減少処理が実行された後の給湯暖房システムでは、タンクへの蓄熱に長時間を必要とするので、給湯暖房システムの動作を通常の動作に復帰させることが好ましい。そのため、この場合には、制御装置が増大処理を実行する。この構成によれば、給湯加熱運転と暖房加熱運転が同時に実行されている状態でヒートポンプによって加熱される給湯用熱媒の流量が増大することによって、給湯用熱媒の加熱に利用される熱量が相対的に増大し、暖房用熱媒の加熱に利用される熱量が相対的に減少する。また、給湯暖房システムの動作を通常の動作に復帰させることができる。
【００１７】
また、本明細書に開示する給湯暖房システムは、冷媒を加圧する圧縮機と、冷媒と給湯用熱媒の間で熱交換させるとともに、冷媒と暖房用熱媒の間で熱交換させることで、冷媒を凝縮させる凝縮器と、冷媒を減圧する減圧機構と、冷媒と自然環境の間で熱交換させることで、冷媒を蒸発させる蒸発器を備えるヒートポンプと、前記ヒートポンプによって加熱された暖房用熱媒の温度を検出する温度検出手段と、暖房用熱媒を燃料の燃焼によって加熱する補助熱源機と、前記ヒートポンプによって加熱された給湯用熱媒を蓄えるタンクと、給湯用熱媒を利用して給湯する給湯装置と、暖房用熱媒を利用して暖房する暖房装置と、前記タンクと前記ヒートポンプの間を循環する給湯用熱媒の流量を調整する流量調整手段と、制御装置を備えている。この給湯暖房システムでは、前記ヒートポンプによって給湯用熱媒を加熱する給湯加熱運転と、前記ヒートポンプによって暖房用熱媒を加熱する暖房加熱運転と、前記補助熱源機によって暖房用熱媒を加熱する補助加熱運転を実行可能であり、前記給湯加熱運転と前記暖房加熱運転が同時に実行され、かつ、前記補助加熱運転が実行されていない状態で、前記温度検出手段によって検出される暖房用熱媒の温度が所定の第１基準温度以下である場合に、前記制御装置が、前記流量調整手段を制御して前記タンクと前記ヒートポンプの間を循環する給湯用熱媒の流量を減少させる減少処理を実行する。
【００１８】
この構成によれば、補助加熱運転が実行されていない状態で、温度検出手段によって検出される暖房用熱媒の温度が所定の第１基準温度以下である場合に、上述したメカニズムと同様のメカニズムにより、給湯用熱媒の温度を低下させることなく、暖房用熱媒の温度を高めることができる。これによって、補助加熱運転が実行されることを抑制して、エネルギー効率を高めることができる。
【００１９】
上記の給湯暖房システムにおいて、前記給湯加熱運転と前記暖房加熱運転が同時に実行され、かつ、前記補助加熱運転が実行されていない状態で、前記温度検出手段によって検出される暖房用熱媒の温度が所定の第１基準時間にわたって前記所定の第１基準温度以下である場合に、前記制御装置が、前記減少処理を実行してもよい。
【００２０】
この構成によれば、暖房用熱媒の温度が所定の第１基準温度以下であるか否かを制御装置が判断する際に所定の第１基準時間の猶予がある。暖房用熱媒の温度が突発的に変化したとしても、猶予期間（第１基準時間）内での温度変化であれば、減少処理が実行されない。そのため、暖房用熱媒の温度が突発的に変化したとしても、それによって給湯用熱媒の流量が減少することがなく、給湯用熱媒の流量を適切に管理することができる。これによって、暖房用熱媒の温度を適切に管理することができる。
【００２１】
上記の給湯暖房システムは、前記タンクに蓄えられている給湯用熱媒の蓄熱量を検出する蓄熱量検出手段を更に備えていてもよい。また、前記蓄熱量検出手段によって検出される蓄熱量が所定の第２基準蓄熱量に満たない場合に、前記制御装置が、前記減少処理を禁止してもよい。
【００２２】
蓄熱量検出手段によって検出される蓄熱量が所定の第２基準蓄熱量に満たない場合には、タンクに蓄えられている給湯用熱媒の蓄熱量を速やかに増大させることが望ましい。したがって、この場合には、ヒートポンプによって加熱される給湯用熱媒の流量を減少させることは望ましくない。そのため、この場合には、制御装置が減少処理を禁止する。この構成によれば、ヒートポンプによって加熱される給湯用熱媒の流量を維持することができ、給湯用熱媒の流量が減少しない分、タンクに蓄えられる給湯用熱媒の蓄熱量を速やかに増大させることができる。
【００２３】
また、上記の給湯暖房システムにおいて、前記減少処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準温度以上である場合は、前記制御装置が、前記流量調整手段を制御して前記タンクと前記ヒートポンプの間を循環する給湯用熱媒の流量を増大させる増大処理を実行してもよい。
【００２４】
減少処理が実行された後に、給湯加熱運転と暖房加熱運転が同時に実行され、かつ、補助加熱運転が実行されていない状態で、温度検出手段によって検出される暖房用熱媒の温度が所定の第２基準温度以上である場合には、暖房用熱媒の温度が十分に高くなっていると考えられるので、暖房用熱媒の加熱に利用される熱量を減少させてもよい。また、減少処理が実行された後の給湯暖房システムでは、タンクへの蓄熱に長時間を必要とするので、給湯暖房システムの動作を通常の動作に復帰させることが好ましい。そのため、この場合には、制御装置が増大処理を実行する。この構成によれば、給湯加熱運転と暖房加熱運転が同時に実行されている状態でヒートポンプによって加熱される給湯用熱媒の流量が増大することによって、給湯用熱媒の加熱に利用される熱量が相対的に増大し、暖房用熱媒の加熱に利用される熱量が相対的に減少する。また、給湯暖房システムの動作を通常の動作に復帰させることができる。
【００２５】
また、上記の給湯暖房システムにおいて、前記減少処理が実行された後に、前記給湯加熱運転と前記暖房加熱運転が同時に実行され、かつ、前記補助加熱運転が実行されていない状態で、前記温度検出手段によって検出される暖房用熱媒の温度が所定の第２基準時間にわたって前記所定の第２基準温度以上である場合に、前記制御装置が前記増大処理を実行してもよい。
【００２６】
この構成によれば、暖房用熱媒の温度が所定の第２基準温度以上であるか否かを制御装置が判断する際に所定の第２基準時間の猶予がある。暖房用熱媒の温度が突発的に変化したとしても、猶予期間（第２基準時間）内での温度変化であれば、増大処理が実行されない。そのため、暖房用熱媒の温度が突発的に変化したとしても、それによって給湯用熱媒の流量が増大することがなく、給湯用熱媒の流量を適切に管理することができる。これによって、暖房用熱媒の温度を適切に管理することができる。
【図面の簡単な説明】
【００２７】
【図１】実施例に係る給湯暖房システム２の構成を模式的に示す図である。
【図２】実施例に係る暖房用バーナ８２の点火／消火処理を説明するフローチャートである。
【図３】実施例に係るサーミスタ８９によって検出される暖房用水の温度を説明する図である。
【図４】実施例に係る給湯用水の流量の第１増減処理を説明するフローチャートである。
【図５】実施例に係る給湯用水の流量の第２増減処理を説明するフローチャートである。
【図６】実施例に係るヒートポンプ５０における冷媒のモリエル線図である（給湯用水の流量の減少前の図である。）。
【図７】実施例に係るヒートポンプ５０における冷媒のモリエル線図である（給湯用水の流量の減少後の図である。）。
【図８】他の実施例に係る給湯用水の流量の第２増減処理を説明するフローチャートである。
【発明を実施するための形態】
【００２８】
以下、実施例に係る給湯暖房システム２について説明する。図１に示すように、本実施例に係る給湯暖房システム２は、タンクユニット４（給湯装置の一例）と、ヒートポンプユニット６と、熱源機ユニット８と、制御装置１００を備えている。
【００２９】
ヒートポンプユニット６は、ヒートポンプ５０と、給湯用水循環ポンプ２２（流量調整手段の一例）を備えている。ヒートポンプ５０は、冷媒（例えばＲ４１０ＡといったＨＦＣ冷媒や、Ｒ７４４といったＣＯ２冷媒）を循環させるための冷媒循環路５２と、空気熱交換器５４（蒸発器の一例）と、ファン５６と、圧縮機６２と、三流体熱交換器５８（凝縮器の一例）と、膨張弁６０（減圧機構の一例）と、冷媒バイパス路６４と、開閉弁６６を備えている。
【００３０】
空気熱交換器５４は、ファン５６によって送風された外気（自然環境の一例）と冷媒循環路５２内の冷媒との間で熱交換させる。後で説明するように、空気熱交換器５４には、膨張弁６０を通過後の低圧低温の液体状態にある冷媒が供給される。空気熱交換器５４は、冷媒と外気とを熱交換させることによって、冷媒を加熱する。冷媒は、加熱されることにより気化し、比較的高温で低圧の気体状態となる。
【００３１】
圧縮機６２には、空気熱交換器５４を通過後の冷媒が供給される。即ち、圧縮機６２には、比較的高温で低圧の気体状態の冷媒が供給される。圧縮機６２によって冷媒が圧縮されることにより、冷媒は高温高圧の気体状態となる。圧縮機６２は、圧縮後の高温高圧の気体状態の冷媒を、三流体熱交換器５８に送り出す。
【００３２】
三流体熱交換器５８の冷媒循環路５２には、圧縮機６２から送り出された高温高圧の気体状態の冷媒が供給される。三流体熱交換器５８は、冷媒循環路５２内の冷媒と、後述のタンク水循環路２０内の水（以下では給湯用水ともいう）との間で熱交換を行うことができる。さらに、三流体熱交換器５８は、冷媒循環路５２内の冷媒と、後述の第２暖房加熱路８８内の水（以下では暖房用水ともいう）との間で熱交換を行うことができる。冷媒は、三流体熱交換器５８での熱交換の結果、熱を奪われて凝縮する。これにより、冷媒は、比較的低温で高圧の液体状態となる。
【００３３】
膨張弁６０には、三流体熱交換器５８を通過後の比較的低温で高圧の液体状態の冷媒が供給される。冷媒は、膨張弁６０を通過することによって減圧され、低温低圧の液体状態となる。膨張弁６０を通過した冷媒は、上記の通り、空気熱交換器５４に送られる。
【００３４】
冷媒バイパス路６４は、一端が膨張弁６０の上流側に接続され、他端が膨張弁６０の下流側に接続されている。冷媒バイパス路６４内には、開閉弁６６が備えられている。
【００３５】
ヒートポンプ５０において、開閉弁６６を閉じた状態で、圧縮機６２を作動させると、冷媒循環路５２内の冷媒は、空気熱交換器５４、圧縮機６２、三流体熱交換器５８、膨張弁６０の順に循環する。この場合、三流体熱交換器５８において、タンク水循環路２０内の給湯用水、および／または、第２暖房加熱路８８内の暖房用水が加熱される。
【００３６】
三流体熱交換器５８は、冷媒の入口５２１と、冷媒の出口５２２と、給湯用水の入口２０１と、給湯用水の出口２０２と、暖房用水の入口８８１と、暖房用水の出口８８２を備えている。三流体熱交換器５８には冷媒の入口５２１から気体状態の冷媒が流入し、冷媒の出口５２２から液体状態の冷媒が流出する。また、三流体熱交換器５８には給湯用水の入口２０１から給湯用水が流入し、給湯用水の出口２０２から給湯用水が流出する。また、三流体熱交換器５８には暖房用水の入口８８１から暖房用水が流入し、暖房用水の出口８８２から暖房用水が流出する。三流体熱交換器５８の冷媒の入口５２１側は、給湯用水の出口２０２側と暖房用水の出口８８２側に対応している。また、三流体熱交換器５８の冷媒の出口５２２側は、給湯用水の入口２０１側と暖房用水の入口８８１側に対応している。すなわち、三流体熱交換器５８において、冷媒と給湯用水は互いに対向流として流れるとともに、冷媒と暖房用水は互いに対向流として流れる。
【００３７】
タンクユニット４は、タンク１０を備えている。タンク１０は、ヒートポンプ５０によって加熱された給湯用水を貯える。本実施例の給湯用水は、水道水である。タンク１０は、密閉型であり、断熱材によって外側が覆われている。タンク１０内には満水まで給湯用水が貯留される。タンク１０には、サーミスタ１２、１４、１６、１８がタンク１０の高さ方向に略均等間隔で取り付けられている。例えば、各サーミスタ１２、１４、１６、１８は、それぞれ、タンク１０の頂部から１０Ｌ、３０Ｌ、５０Ｌ、７０Ｌの位置に取り付けられている。各サーミスタ１２、１４、１６、１８は、その取付位置の給湯用水の温度を測定する。各サーミスタ１２、１４、１６、１８の検出温度から、タンク１０の蓄熱状態を特定することができる。各サーミスタ１２、１４、１６、１８は、タンク１０に蓄えられている給湯用水の蓄熱量を検出する蓄熱量検出手段の一例である。タンク１０の蓄熱量は、タンク１０の貯湯量に対応している。
【００３８】
タンク水循環路２０は、上流端がタンク１０の下部に接続されており、ヒートポンプユニット６の三流体熱交換器５８を通過して、下流端がタンク１０の上部に接続されている。タンク水循環路２０には、ヒートポンプユニット６の給湯用水循環ポンプ２２が介装されている。ヒートポンプユニット６において、ヒートポンプ５０を作動させて、給湯用水循環ポンプ２２を駆動すると、タンク１０の下部の給湯用水が三流体熱交換器５８に送られて加熱され、加熱された給湯用水がタンク１０の上部に戻される。タンク１０の内部には、低温の給湯用水の層の上に高温の給湯用水の層が積み重なった温度成層が形成される。タンク水循環路２０の三流体熱交換器５８よりも下流側には、サーミスタ２１が取り付けられている。サーミスタ２１は、ヒートポンプ５０からタンク１０へ送られる給湯用水の温度を検出する。
【００３９】
水道水導入路２４は、上流端が給湯暖房システム２の外部の水道水供給源３２に接続されている。水道水導入路２４の下流側は、第１導入路２４ａと第２導入路２４ｂに分岐している。第１導入路２４ａの下流端は、タンク１０の下部に接続されている。第２導入路２４ｂの下流端は、第１給湯路３６の途中に接続されている。第１導入路２４ａには、逆止弁２６が介装されている。第２導入路２４ｂには、逆止弁２８が介装されている。
【００４０】
第１給湯路３６は、上流端がタンク１０の上部に接続されている。上述したように、第１給湯路３６の途中には、水道水導入路２４の第２導入路２４ｂが接続されている。第１給湯路３６と第２導入路２４ｂの接続部には、混合弁３０が介装されている。混合弁３０は、タンク１０の上部から第１給湯路３６へ流入する高温の給湯用水の流量と、第２導入路２４ｂから第１給湯路３６へ流入する低温の水道水の流量の割合を調整する。第２導入路２４ｂとの接続部より下流側の第１給湯路３６は、熱源機ユニット８の給湯加熱路３７を通過して、第２給湯路３９へ接続している。第１給湯路３６と第２給湯路３９の間は、熱源機バイパス路３３によって接続されている。熱源機バイパス路３３にはバイパス弁３４が介装されている。第２給湯路３９の下流端は給湯栓３８に接続されている。
【００４１】
熱源機ユニット８は、シスターン７０と、暖房用バーナ８２（補助熱源機の一例）と、給湯用バーナ８１を備えている。シスターン７０は、上部が開放されている容器であり、内部に暖房用水を貯留している。本実施例の暖房用水は例えば不凍液である。シスターン７０には、暖房往路７２の上流端が接続されている。暖房往路７２には、暖房用水循環ポンプ７４が介装されている。暖房用水循環ポンプ７４を駆動すると、シスターン７０内の暖房用水が暖房往路７２に流れ込む。
【００４２】
暖房往路７２の下流端は、第１暖房加熱路７３と、低温暖房循環路７５に分岐している。低温暖房循環路７５には、低温暖房機７８が取り付けられる。本実施例の低温暖房機７８は、例えば床暖房機である。低温暖房機７８は、供給される暖房用水の熱を利用して暖房する。第１暖房加熱路７３には、暖房用バーナ８２が介装されている。暖房用バーナ８２は、第１暖房加熱路７３内の暖房用水を加熱する。第１暖房加熱路７３の下流端は、高温暖房循環路７７と追い焚き循環路７９に分岐している。高温暖房循環路７７には、高温暖房機７６（暖房装置の一例）が取り付けられる。本実施例の高温暖房機７６は、例えば浴室暖房乾燥機である。高温暖房機７６は、供給される暖房用水の熱を利用して暖房する。低温暖房循環路７５と高温暖房循環路７７は、それぞれの下流端で合流して、第１暖房復路８４の上流端へ接続している。
【００４３】
第１暖房復路８４の下流端は、タンクユニット４において、第２暖房加熱路８８とＨＰバイパス路９４に分岐している。第１暖房復路８４の下流端には、暖房用水調整弁９０が設けられている。暖房用水調整弁９０は、その開度を変化させることによって、第１暖房復路８４から第２暖房加熱路８８へ流れる暖房用水の流量と、第１暖房復路８４からＨＰバイパス路９４へ流れる暖房用水の流量の割合を変化させることができる。本実施例の暖房用水調整弁９０には、例えば三方弁が用いられる。第２暖房加熱路８８は、ヒートポンプユニット６の三流体熱交換器５８を通過して、第２暖房復路９６の上流端へ接続している。第２暖房加熱路８８の三流体熱交換器５８よりも下流側には、サーミスタ８９（温度検出手段の一例）が取り付けられている。サーミスタ８９は、三流体熱交換器５８を通過した暖房用水の温度を検出する。ＨＰバイパス路９４は、ヒートポンプユニット６の三流体熱交換器５８を通過することなく、第２暖房復路９６の上流端へ接続している。第２暖房復路９６は、下流端が熱源機ユニット８のシスターン７０に接続している。
【００４４】
追い焚き循環路７９には、追い焚き熱動弁８３と、追い焚き熱交換器９７が介装されている。追い焚き熱動弁８３は、追い焚き循環路７９を開閉する。追い焚き熱交換器９７では、追い焚き循環路７９を流れる暖房用水と、浴槽水循環路９１を流れる浴槽水の間で熱交換が行われる。追い焚き循環路７９の下流端は、第２暖房復路９６に接続している。
【００４５】
浴槽水循環路９１の上流端は、浴槽９８の底部に接続している。浴槽水循環路９１の下流端は、浴槽９８の側部に接続している。浴槽水循環路９１には、浴槽水循環ポンプ９９が介装されている。浴槽水循環ポンプ９９が駆動すると、浴槽９８の底部から吸い出された浴槽水が、追い焚き熱交換器９７を通過して、浴槽９８の側部へ戻される。
【００４６】
給湯加熱路３７には、給湯用バーナ８１が介装されている。給湯加熱路３７の給湯用バーナ８１よりも下流側から、浴槽注湯路４０が分岐している。浴槽注湯路４０には、浴槽注湯路４０を開閉する注湯電磁弁４２が介装されている。浴槽注湯路４０の下流端は、浴槽水循環ポンプ９９に接続している。
【００４７】
制御装置１００は、タンクユニット４、ヒートポンプユニット６、熱源機ユニット８の各構成要素の動作を制御する。
【００４８】
（給湯暖房システムの動作）
次いで、本実施例の給湯暖房システム２の動作について説明する。以下では、給湯暖房システム２が実施する、給湯加熱運転、給湯運転および暖房加熱運転について順に説明する。
【００４９】
（給湯加熱運転）
給湯加熱運転では、タンク１０内の給湯用水をヒートポンプ５０で加熱し、高温となった給湯用水をタンク１０に戻す。給湯加熱運転を実行する際には、制御装置１００は圧縮機６２およびファン５６を駆動してヒートポンプ５０を作動させるとともに、給湯用水循環ポンプ２２を駆動する。この際、ヒートポンプ５０では、開閉弁６６を閉じた状態で圧縮機６２を駆動する。
【００５０】
圧縮機６２の駆動により、冷媒循環路５２内の冷媒は、空気熱交換器５４、圧縮機６２、三流体熱交換器５８、膨張弁６０の順に循環する。この場合、三流体熱交換器５８を通過する冷媒循環路５２内の冷媒は、高温高圧の気体状態である。また、給湯用水循環ポンプ２２の駆動により、タンク水循環路２０内をタンク１０内の給湯用水が循環する。即ち、タンク１０の下部に存在する給湯用水がタンク水循環路２０内に導入され、導入された給湯用水が三流体熱交換器５８を通過する際に、冷媒循環路５２内の冷媒の熱によって加熱され、加熱された給湯用水がタンク１０の上部に戻される。この際、サーミスタ２１で検出される給湯用水の温度が、沸上げ設定温度となるように、ヒートポンプ５０の動作が制御される。給湯加熱運転における沸上げ設定温度は例えば４７℃である。サーミスタ２１によって検出される給湯用水の温度が沸上げ設定温度（例えば４７℃）になるように給湯用水が加熱される。これにより、タンク１０に高温の給湯用水が貯められる。タンク１０の内部が高温の給湯用水で満たされた満蓄状態となると、給湯加熱運転を終了する。
【００５１】
（給湯運転）
給湯運転は、タンク１０内の給湯用水を給湯栓３８に供給する運転である。給湯運転は、上記の給湯加熱運転と並行して行うこともできる。給湯栓３８が開かれると、水道水供給源３２からの水圧によって、水道水導入路２４（第１導入路２４ａ）からタンク１０の下部に水道水が流入する。同時に、タンク１０上部の給湯用水が、第１給湯路３６を介して給湯栓３８に供給される。
【００５２】
制御装置１００は、タンク１０から第１給湯路３６に供給される給湯用水の温度が、給湯設定温度より高い場合には、混合弁３０を駆動して第２導入路２４ｂから第１給湯路３６に水道水を導入する。従って、タンク１０から供給された給湯用水と第２導入路２４ｂから供給された水道水とが、第１給湯路３６内で混合される。制御装置１００は、給湯栓３８に供給される給湯用水の温度が、給湯設定温度と一致するように、混合弁３０の開度を調整する。一方、制御装置１００は、タンク１０から第１給湯路３６に供給される給湯用水の温度が、給湯設定温度より低い場合には、給湯用バーナ８１によって給湯加熱路３７を通過する給湯用水を加熱する。制御装置１００は、給湯栓３８に供給される給湯用水の温度が、給湯設定温度と一致するように、給湯用バーナ８１の出力を制御する。
【００５３】
（暖房加熱運転）
暖房加熱運転は、ヒートポンプ５０によって暖房用水を加熱し、高温となった暖房用水を用いて低温暖房機７８や高温暖房機７６によって暖房する運転である。利用者によって暖房加熱運転の実行が指示されると、制御装置１００は、暖房用水調整弁９０の開度を低温暖房機７８や高温暖房機７６の負荷に応じて調整し、暖房用水循環ポンプ７４を回転させる。さらに、制御装置１００は、開閉弁６６を閉じた状態で圧縮機６２およびファン５６を駆動する。これによって、三流体熱交換器５８で加熱された暖房用水が、シスターン７０を経て、低温暖房機７８や高温暖房機７６に供給される。さらに、制御装置１００は、必要に応じて暖房用バーナ８２を作動する。これにより、高温暖房機７６には、暖房用バーナ８２での加熱によってさらに高温となった暖房用水が供給される。暖房運転においては、低温暖房機７８に供給される暖房用水の温度が低温暖房設定温度となるように、また高温暖房機７６に供給される暖房用水の温度が高温暖房設定温度となるように、暖房用水調整弁９０の開度や、ヒートポンプ５０の動作や、暖房用バーナ８２の出力が調整される。
【００５４】
（給湯加熱運転と暖房加熱運転の同時実行）
給湯暖房システム２において、給湯加熱運転と暖房加熱運転が同時に実行されると、ヒートポンプ５０の三流体熱交換器５８では、給湯用水の加熱と暖房用水の加熱が同時に行われる。
【００５５】
給湯暖房システム２では、給湯加熱運転と暖房加熱運転が同時に実行される場合に、制御装置１００が、暖房用バーナ８２の点火／消火処理を行う。また、制御装置１００が、タンク水循環路２０を流れる給湯用水の増減処理を行う。これらの処理について以下に説明する。
【００５６】
（暖房用バーナ８２の点火／消火処理）
暖房用バーナ８２の点火／消火処理について説明する。図２に示すように、この処理のステップＳ１０１では、制御装置１００が、サーミスタ８９によって検出される暖房用水の温度を監視し、検出される暖房用水の温度が所定の点火基準温度（図３参照）以下であるか否かを判断する。ステップＳ１０１における点火基準温度は例えば３６℃である。暖房用水の温度が点火基準温度（３６℃）以下である場合は、ステップＳ１０１で制御装置１００がＹＥＳと判断してステップＳ１０２に進む。一方、暖房用水の温度が点火基準温度（３６℃）以下でない場合は、制御装置１００がＮＯと判断して温度の監視を続ける。
【００５７】
続いてステップＳ１０２では、制御装置１００が、第１暖房加熱路７３に介装されている暖房用バーナ８２を点火させる。暖房用バーナ８２が点火すると、第１暖房加熱路７３内の暖房用水が補助加熱されて暖房用水の温度が上昇する。
【００５８】
図３に示すように、サーミスタ８９によって検出される暖房用水の温度は、暖房用水の加熱状況によって変化する。暖房用水が加熱されると温度が上昇し、暖房用水が加熱されなくなると温度が低下する。
【００５９】
図２に示すように、続いてステップＳ１０３では、制御装置１００が、サーミスタ８９によって検出される暖房用水の温度を再び監視し、検出される暖房用水の温度が所定の消火基準温度（図３参照）以上であるか否かを判断する。ステップＳ１０３における消火基準温度は例えば４５℃である。暖房用水の温度が消火基準温度（４５℃）以上である場合は、ステップＳ１０３で制御装置１００がＹＥＳと判断してステップＳ１０４に進む。一方、暖房用水の温度が消火基準温度（４５℃）以上でない場合は、制御装置１００がＮＯと判断して温度の監視を続ける。
【００６０】
続いてステップＳ１０４では、制御装置１００が、第１暖房加熱路７３に介装されている暖房用バーナ８２を消火させる。暖房用バーナ８２が消火すると、第１暖房加熱路７３内の暖房用水が補助加熱されなくなる。ステップＳ１０４の処理が終了すると、再びステップＳ１０１の処理に戻る。
【００６１】
（給湯用水の第１増減処理）
次に給湯用水の第１増減処理について説明する。図４に示すように、この処理のステップＳ１１１では、制御装置１００が、暖房用バーナ８２が点火しているか否かを判断する。暖房用バーナ８２が点火している場合は、ステップＳ１１１で制御装置１００がＹＥＳと判断してステップＳ１１２に進む。一方、暖房用バーナ８２が点火していない場合は、制御装置１００がＮＯと判断してステップＳ１２１に進む。
【００６２】
続いてステップＳ１１２では、制御装置１００が、タンク１０の貯湯量が所定の貯湯量（例えば３０Ｌ）以上であるか否かを判断する。制御装置１００は、タンク１０に取り付けられている各サーミスタ１２、１４、１６、１８の検出温度に基づいてタンク１０の貯湯量を特定する。タンク１０の貯湯量が所定の貯湯量（例えば３０Ｌ）以上である場合は、ステップＳ１１２で制御装置１００がＹＥＳと判断してステップＳ１１３に進む。一方、タンク１０の貯湯量が所定の貯湯量以上でない場合は、制御装置１００がＮＯと判断してステップＳ１２１に進む。
【００６３】
タンク１０の貯湯量は、タンク１０に蓄えられている給湯用水の蓄熱量に対応している。蓄熱量が多い場合は貯湯量が多く、蓄熱量が少ない場合は貯湯量が少なくなる。したがって、ステップＳ１１２では、制御装置１００が、貯湯量の判断によって、タンク１０の蓄熱量が所定の蓄熱量（例えば３０Ｌの貯湯量に対応する第１基準蓄熱量）以上であるか否かを判断することができる。蓄熱量が所定の蓄熱量（第１基準蓄熱量）以上である場合は、ステップＳ１１２で制御装置１００がＹＥＳと判断してステップＳ１１３に進む。一方、蓄熱量が所定の蓄熱量（第１基準蓄熱量）に満たない場合は、制御装置１００がＮＯと判断してステップＳ１２１に進む。
【００６４】
続いてステップＳ１１３では、制御装置１００が、暖房用水の目標温度を高温目標温度（例えば４５℃）に設定する。高温目標温度（例えば４５℃）は、後述する通常目標温度（例えば４０℃）より高い温度である。なお、給湯用水の目標温度は、上述した沸上げ設定温度（例えば４７℃）である。暖房用水の高温目標温度（例えば４５℃）は、給湯用水の沸上げ設定温度（例えば４７℃）より低い温度である。
【００６５】
続いてステップＳ１１４では、制御装置１００が、タンク１０とヒートポンプ５０の間を循環する給湯用水の流量を減少させる減少処理を実行する。具体的には、制御装置１００が、給湯用水循環ポンプ２２の回転数を減少させる。制御装置１００は、給湯用水の流量を例えば１．０Ｌ／ｍｉｎから０．２Ｌ／ｍｉｎに減少させる。
【００６６】
ステップＳ１１４の後に行うステップＳ１１５では、制御装置１００は、サーミスタ８９によって検出される暖房用水の温度が上記のステップＳ１１３で設定した高温目標温度（例えば４５℃）となり、サーミスタ２１で検出される給湯用水の温度が沸上げ設定温度（例えば４７℃）となるように、ヒートポンプ５０の動作を制御する。具体的には、制御装置１００が、ヒートポンプ５０における膨張弁６０の開度を調整する、および／または、圧縮機６２の回転数を調整する。これによって、三流体熱交換器５８で加熱された後の暖房用水の温度が上昇する。
【００６７】
一方、上記のステップＳ１１１又はＳ１１２でＮＯと判断された後のステップＳ１２１では、制御装置１００が、暖房用水の目標温度を通常目標温度（例えば４０℃）に設定する。通常目標温度（例えば４０℃）は、上述した高温目標温度（例えば４５℃）より低い温度である。
【００６８】
続いてステップＳ１２２では、制御装置１００が、タンク１０とヒートポンプ５０の間を循環する給湯用水の流量を通常の流量にする。制御装置１００は、給湯用水の流量が既に通常の流量である場合は、その流量を維持する。一方、制御装置１００は、給湯用水の流量が減少している場合（上記のステップＳ１１４参照）は、給湯用水の流量を増大させる増大処理を実行する。具体的には、制御装置１００が、給湯用水循環ポンプ２２の回転数を増大させる。制御装置１００は、給湯用水の流量を例えば０．２Ｌ／ｍｉｎから１．０Ｌ／ｍｉｎに増大させる。制御装置１００は、給湯用水の流量を増大させて通常の流量に戻す。このステップＳ１２２では、給湯用水の流量を減少させる減少処理は禁止される。
【００６９】
ステップＳ１２２の後に行うステップＳ１１５では、制御装置１００は、サーミスタ８９によって検出される暖房用水の温度が上記のＳ１２１で設定した通常目標温度（例えば４０℃）となり、サーミスタ２１で検出される給湯用水の温度が沸上げ設定温度（例えば４７℃）となるように、ヒートポンプ５０の動作を制御する。具体的には、制御装置１００が、ヒートポンプ５０における膨張弁６０の開度を調整する、および／または、圧縮機６２の回転数を調整する。これによって、三流体熱交換器５８で加熱された後の暖房用水の温度が低下する。
【００７０】
（給湯用水の第２増減処理）
次に給湯用水の第２増減処理について説明する。この処理では、暖房用バーナ８２が常に消火している（点火していない）。図５に示すように、この処理のステップＳ１３１では、制御装置１００が、サーミスタ８９によって検出される暖房用水の温度を監視し、検出される暖房用水の温度が所定の第１基準温度（例えば４０℃）以下であるか否かを判断する。暖房用水の温度が第１基準温度（例えば４０℃）以下である場合は、ステップＳ１３１で制御装置１００がＹＥＳと判断してステップＳ１３２に進む。一方、暖房用水の温度が第１基準温度以下でない場合は、制御装置１００がＮＯと判断してステップＳ１４１に進む。
【００７１】
ステップＳ１３１では、制御装置１００が、暖房用水の温度が所定の第１基準時間にわたって所定の第１基準温度以下であるか否かを判断してもよい。ステップＳ１３１における第１基準時間は例えば１分である。暖房用水の温度が第１基準時間（１分）にわたって第１基準温度（４０℃）以下である場合は、ステップＳ１３１で制御装置１００がＹＥＳと判断してステップＳ１３２に進む。そうでない場合は、制御装置１００がＮＯと判断してステップＳ１４１に進む。
【００７２】
続いてステップＳ１３２では、制御装置１００が、タンク１０の貯湯量が所定の貯湯量（例えば３０Ｌ）以上であるか否かを判断する。制御装置１００は、タンク１０に取り付けられている各サーミスタ１２、１４、１６、１８の検出温度に基づいてタンク１０の貯湯量を特定する。タンク１０の貯湯量が所定の貯湯量（例えば３０Ｌ）以上である場合は、ステップＳ１３２で制御装置１００がＹＥＳと判断してステップＳ１３３に進む。一方、タンク１０の貯湯量が所定の貯湯量以上でない場合は、制御装置１００がＮＯと判断してステップＳ１４１に進む。
【００７３】
タンク１０の貯湯量は、タンク１０に蓄えられている給湯用水の蓄熱量に対応している。蓄熱量が多い場合は貯湯量が多く、蓄熱量が少ない場合は貯湯量が少なくなる。したがって、ステップＳ１３２では、制御装置１００が、貯湯量の判断によって、タンク１０の蓄熱量が所定の蓄熱量（例えば３０Ｌの貯湯量に対応する第２基準蓄熱量）以上であるか否かを判断することができる。蓄熱量が所定の蓄熱量（第２基準蓄熱量）以上である場合は、ステップＳ１３２で制御装置１００がＹＥＳと判断してステップＳ１３３に進む。一方、蓄熱量が所定の蓄熱量（第２基準蓄熱量）に満たない場合は、制御装置１００がＮＯと判断してステップＳ１４１に進む。
【００７４】
続いてステップＳ１３３では、制御装置１００が、暖房用水の目標温度を高温目標温度（例えば４５℃）に設定する。高温目標温度（例えば４５℃）は、後述する通常目標温度（例えば４０℃）より高い温度である。なお、給湯用水の目標温度は、上述した沸上げ設定温度（例えば４７℃）である。暖房用水の高温目標温度（例えば４５℃）は、給湯用水の沸上げ設定温度（例えば４７℃）より低い温度である。
【００７５】
続いてステップＳ１３４では、制御装置１００が、タンク１０とヒートポンプ５０の間を循環する給湯用水の流量を減少させる減少処理を実行する。具体的には、制御装置１００が、給湯用水循環ポンプ２２の回転数を減少させる。制御装置１００は、給湯用水の流量を例えば１．０Ｌ／ｍｉｎから０．２Ｌ／ｍｉｎに減少させる。
【００７６】
ステップＳ１３４の後に行うステップＳ１３５では、制御装置１００は、サーミスタ８９によって検出される暖房用水の温度が上記のステップＳ１３３で設定した高温目標温度（例えば４５℃）となり、サーミスタ２１で検出される給湯用水の温度が沸上げ設定温度（例えば４７℃）となるように、ヒートポンプ５０の動作を制御する。具体的には、制御装置１００が、ヒートポンプ５０における膨張弁６０の開度を調整する、および／または、圧縮機６２の回転数を調整する。これによって、三流体熱交換器５８で加熱された後の暖房用水の温度が上昇する。
【００７７】
一方、上記のステップＳ１３１又はＳ１３２でＮＯと判断された後のステップＳ１４１では、制御装置１００が、暖房用水の目標温度を通常目標温度（例えば４０℃）に設定する。通常目標温度（例えば４０℃）は、上述した高温目標温度（例えば４５℃）より低い温度である。
【００７８】
続いてステップＳ１４２では、制御装置１００が、タンク１０とヒートポンプ５０の間を循環する給湯用水の流量を通常の流量にする。制御装置１００は、給湯用水の流量が既に通常の流量である場合は、その流量を維持する。一方、制御装置１００は、給湯用水の流量が減少している場合（上記のステップＳ１３４参照）は、給湯用水の流量を増大させる増大処理を実行する。具体的には、制御装置１００が、給湯用水循環ポンプ２２の回転数を増大させる。制御装置１００は、給湯用水の流量を例えば０．２Ｌ／ｍｉｎから１．０Ｌ／ｍｉｎに増大させる。制御装置１００は、給湯用水の流量を増大させて通常の流量に戻す。このステップＳ１４２では、給湯用水の流量を減少させる減少処理は禁止される。
【００７９】
ステップＳ１４２の後に行うステップＳ１３５では、制御装置１００は、サーミスタ８９によって検出される暖房用水の温度が上記のＳ１４１で設定した通常目標温度（例えば４０℃）となり、サーミスタ２１で検出される給湯用水の温度が沸上げ設定温度（例えば４７℃）となるように、ヒートポンプ５０の動作を制御する。具体的には、制御装置１００が、ヒートポンプ５０における膨張弁６０の開度を調整する、および／または、圧縮機６２の回転数を調整する。これによって、三流体熱交換器５８で加熱された後の暖房用水の温度が低下する。
【００８０】
以上、実施例に係る給湯暖房システム２について説明した。上記の説明から明らかなように、給湯暖房システム２は、ヒートポンプ５０と暖房用バーナ８２とタンク１０を備えている。ヒートポンプ５０は、冷媒を加圧する圧縮機６２と、冷媒と給湯用水の間で熱交換させるとともに、冷媒と暖房用水の間で熱交換させることで、冷媒を凝縮させる三流体熱交換器５８と、冷媒を減圧する膨張弁６０と、冷媒と自然環境の間で熱交換させることで、冷媒を蒸発させる空気熱交換器５４を備えている。暖房用バーナ８２は、暖房用水を燃料の燃焼によって加熱する。タンク１０は、ヒートポンプ５０によって加熱された給湯用水を蓄える。また、給湯暖房システム２は、給湯用水を利用して給湯するタンクユニット４と、暖房用水を利用して暖房する高温暖房機７６および低温暖房機７８と、タンク１０とヒートポンプ５０の間を循環する給湯用水の流量を調整する給湯用水循環ポンプ２２と、制御装置１００を備えている。この給湯暖房システム２では、ヒートポンプ５０によって給湯用水を加熱する給湯加熱運転と、ヒートポンプ５０によって暖房用水を加熱する暖房加熱運転と、暖房用バーナ８２によって暖房用水を加熱する補助加熱運転を実行可能である。給湯加熱運転と暖房加熱運転が同時に実行され、かつ、補助加熱運転が実行されている場合に、制御装置１００が、給湯用水循環ポンプ２２の回転数を減少させてタンク１０とヒートポンプ５０の間を循環する給湯用水の流量を減少させる減少処理を実行する（ステップＳ１１４参照）。
【００８１】
この構成によれば、給湯用水と暖房用水がヒートポンプ５０によって同時に加熱され、暖房用水が暖房用バーナ８２によって加熱される場合に、給湯用水の温度を低下させることなく、暖房用水の温度を高めることができる。このメカニズムについては後述する。なお、上記の給湯暖房システム２において制御装置１００が給湯用水の流量を減少させる減少処理には、給湯用水の循環を停止させて給湯用水の流量をゼロにする処理も含まれる。
【００８２】
また、上記の給湯暖房システム２は、タンク１０に蓄えられている給湯用水の蓄熱量を検出するサーミスタ１２、１４、１６、１８を更に備えている。サーミスタ１２、１４、１６、１８によって検出される蓄熱量が所定の第１基準蓄熱量（例えば３０Ｌの貯湯量に対応する蓄熱量）に満たない場合に、制御装置１００が減少処理を禁止する（ステップＳ１１２、Ｓ１２２参照）。
【００８３】
タンク１０の蓄熱量が所定の第１基準蓄熱量に満たない場合には蓄熱量を速やかに増大させることが望ましい。この場合には、ヒートポンプ５０によって加熱される給湯用水の流量を減少させることは望ましくない。したがって、この場合には制御装置１００が減少処理を禁止する。この構成によれば、ヒートポンプ５０によって加熱される給湯用水の流量を維持することができ、給湯用水の流量が減少しない分だけ多くの給湯用水を加熱することができ、タンク１０の蓄熱量を速やかに増大させることができる。
【００８４】
また、上記の給湯暖房システム２では、減少処理が実行された後に、給湯加熱運転と暖房加熱運転が同時に実行され、かつ、補助加熱運転が実行されていない場合に、制御装置１００が、給湯用水循環ポンプ２２の回転数を増大させてタンク１０とヒートポンプ５０の間を循環する給湯用水の流量を増大させる増大処理を実行する（ステップＳ１３４、Ｓ１４２参照）。
【００８５】
減少処理が実行された後に、給湯加熱運転と暖房加熱運転が同時に実行され、かつ、補助加熱運転が実行されていない場合には、暖房用水の温度が十分に高くなっていると考えられるので、暖房用水の加熱に利用される熱量を減少させてもよい。また、減少処理が実行された後の給湯暖房システム２では、タンク１０への蓄熱に長時間を必要とするので、給湯暖房システム２の動作を通常の動作に復帰させることが好ましい。そのため、この場合には、制御装置１００が増大処理を実行する。この構成によれば、給湯加熱運転と暖房加熱運転が同時に実行されている状態でヒートポンプ５０によって加熱される給湯用水の流量が増大するので、給湯用水の加熱に利用される熱量が相対的に増大し、暖房用水の加熱に利用される熱量が相対的に減少する。また、給湯暖房システム２の動作を通常の動作に復帰させることができる。
【００８６】
上記の給湯暖房システム２において、給湯加熱運転と暖房加熱運転が同時に実行される場合に、制御装置１００が給湯用水循環ポンプ２２の回転数を減少させてタンク１０とヒートポンプ５０の間を循環する給湯用水の流量を減少させる減少処理を実行すると、三流体熱交換器５８から流出する給湯用水の温度が変化することなく、三流体熱交換器５８から流出する暖房用水の温度が上昇する。このメカニズムについて図面を参照して説明する。
【００８７】
図６と図７は、ヒートポンプ５０における冷媒のモリエル線図である。図６と図７において、縦軸が冷媒の温度（℃）であり、横軸が冷媒の比エンタルピー（ｋＪ／ｋｇ）である。また、図６と図７において、Ａ−Ｂ間は冷媒の加圧過程であり、Ｂ−Ｃ間は冷媒の凝縮過程であり、Ｃ−Ｄ間は冷媒の減圧過程であり、Ｄ−Ａ間は冷媒の蒸発過程である。また、Ｂ−Ｃ間の冷媒の凝縮過程のうち、特にＪ−Ｃ間は冷媒の過冷却領域を示している。図６は、タンク１０とヒートポンプ５０の間を循環する給湯用水の流量を減少させる前の状態の図である。図７は、タンク１０とヒートポンプ５０の間を循環する給湯用水の流量を減少させた後の状態の図である。
【００８８】
図６と図７のＣ点は、冷媒の凝縮過程が終了した後の三流体熱交換器５８の冷媒の出口５２２における冷媒の状態を示している。図６と図７のＣ点を比較すると、給湯用水の流量の減少後（図７）の冷媒の温度が、給湯用水の流量の減少前（図６）の冷媒の温度よりも高くなっている。給湯用水の流量の減少前（図６）では、冷媒の出口５２２における冷媒の温度（Ｃ点）は２０℃である。給湯用水の流量の減少後（図７）では、冷媒の出口５２２における冷媒の温度（Ｃ点）は３０℃である。このときの冷媒は過冷却液の状態である。図６および図７から明らかなように、給湯用水の流量の減少後では、減少前よりも、給湯用水に奪われる冷媒の熱量が少なくなるので、冷媒の過冷却領域（Ｊ−Ｃ間の領域）が短くなり、三流体熱交換器５８の冷媒の出口５２２における冷媒の温度が高くなる。なお、冷媒の入口５２１における冷媒の温度（Ｂ点）は、給湯用水の流量の減少後も、減少前も、８０℃で変化しない。このときの冷媒は過熱蒸気の状態である。また、冷媒の凝縮温度（Ｊ点）は４３℃である。
【００８９】
図６と図７のＥ点は、三流体熱交換器５８の暖房用水の入口８８１における暖房用水の温度を示している。図６および図７では、暖房用水の入口８８１における暖房用水の温度（Ｅ点）は３４℃としている。暖房用水は暖房のために循環している暖かい水なので、暖房用水の入口８８１における暖房用水の温度（Ｅ点）は、給湯用水の入口２０１における給湯用水の温度（Ｇ点）と比較して高温である。図６と図７のＬ１線は、暖房用水が三流体熱交換器５８を通過する過程（すなわち、冷媒の凝縮過程）における暖房用水の温度を示している。図６と図７のＦ点は、三流体熱交換器５８の暖房用水の出口８８２における暖房用水の温度を示している。暖房用水は、三流体熱交換器５８を通過する過程で冷媒との熱交換によって加熱される。その一方で冷媒が凝縮する。
【００９０】
図６と図７に示すように、三流体熱交換器５８の暖房用水の入口８８１における暖房用水の温度（Ｅ点）は、冷媒の出口５２２における冷媒の温度（Ｃ点）よりも高温である。また、図１に示すように、三流体熱交換器５８の暖房用水の入口８８１側は、冷媒の出口５２２側に対応している。そのため、三流体熱交換器５８の暖房用水の入口８８１側（冷媒の出口５２２側）では、高温の暖房用水の熱が低温の冷媒に移動する。その結果、図６と図７のＬ１線のように、暖房用水の温度が一時的に低下する。
【００９１】
図６と図７のＬ１線を比較すると、給湯用水の流量の減少後（図７）では、給湯用水の流量の減少前（図６）よりも、暖房用水の温度の低下が比較的小さくなっている。上述したように、給湯用水の流量の減少後（図７）では、給湯用水の流量の減少前（図６）よりも、冷媒の過冷却領域（Ｊ−Ｃ間の領域）が短くなり、三流体熱交換器５８の冷媒の出口５２２における冷媒の温度（Ｃ点）が高くなる。そのため、Ｌ１線で示すように、給湯用水の流量の減少後（図７）では、給湯用水の流量の減少前（図６）よりも、暖房用水から冷媒への熱移動が小さくなるので、暖房用水の温度低下が比較的小さくなる。
【００９２】
また、暖房用水は、三流体熱交換器５８を通過する過程で冷媒との熱交換によって加熱される。その結果、暖房用水の温度が上昇する。図６と図７のＦ点を比較すると、給湯用水の流量の減少後（図７）では、給湯用水の流量の減少前（図６）よりも、三流体熱交換器５８の暖房用水の出口８８２における暖房用水の温度が高くなっている。上述したように、給湯用水の流量の減少後（図７）では、給湯用水の流量の減少前（図６）よりも、三流体熱交換器５８の暖房用水の入口８８１側（冷媒の出口５２２側）での暖房用水の温度の一時的な低下が比較的小さかったので、その分、三流体熱交換器５８の暖房用水の出口８８２における暖房用水の温度が比較的高くなる。給湯用水の流量の減少前（図６）では、暖房用水の出口８８２における暖房用水の温度（Ｆ点）は４０℃である。給湯用水の流量の減少後（図７）では、暖房用水の出口８８２における暖房用水の温度（Ｆ点）は４５℃である。
【００９３】
次に、給湯用水の温度について説明する。図６と図７のＧ点は、三流体熱交換器５８の給湯用水の入口２０１における給湯用水の温度を示している。給湯用水はタンク１０の下部から供給される冷たい水なので、給湯用水の入口２０１における給湯用水の温度（Ｇ点）は、暖房用水の入口８８１における暖房用水の温度（Ｅ点）と比較して低温である。図６と図７のＬ２線は、給湯用水が三流体熱交換器５８を通過する過程（すなわち、冷媒の凝縮過程）における給湯用水の温度を示している。図６と図７のＨ点は、三流体熱交換器５８の給湯用水の出口２０２における給湯用水の温度を示している。給湯用水は、三流体熱交換器５８を通過する過程で冷媒との熱交換によって加熱される。給湯用水と暖房用水が三流体熱交換器５８で同時に加熱される。給湯用水の入口２０１における給湯用水の温度（Ｇ点）は９℃である。給湯用水の出口２０２における給湯用水の温度（Ｈ点）は４７℃である。
【００９４】
図６と図７に示すように、三流体熱交換器５８の給湯用水の入口２０１における給湯用水の温度（Ｇ点）は、冷媒の出口５２２における冷媒の温度（Ｃ点）よりも低温である。また、図１に示すように、三流体熱交換器５８の給湯用水の入口２０１側は、冷媒の出口５２２側に対応している。そのため、三流体熱交換器５８の給湯用水の入口２０１側（冷媒の出口５２２側）では、高温の冷媒の熱が低温の給湯用水に移動する。その結果、図６と図７のＬ２線のように、給湯用水の温度は、暖房用水の温度と異なり、一時的に低下しない。
【００９５】
給湯用水は、三流体熱交換器５８を通過する過程で冷媒との熱交換によって加熱される。その結果、給湯用水の温度が上昇する。給湯用水の温度は、図６と図７のＬ２線のように、一時的に低下せずに常に上昇する。三流体熱交換器５８では給湯用水の熱が冷媒に移動することがないので、給湯用水の温度が一時的に低下せずに上昇する。三流体熱交換器５８の給湯用水の出口２０２側（冷媒の入口５２１側）では、給湯用水の温度（Ｈ点）は、暖房用水の温度（Ｆ点）より高くなる。また、給湯用水の温度（Ｈ点）は、給湯用水の流量の減少前（図６）と流量の減少後（図７）でほぼ同じ温度にできる。三流体熱交換器５８で給湯用水の熱が奪われないので、給湯用水の温度（Ｈ点）は、給湯用水の流量の減少前（図６）と流量の減少後（図７）でほぼ同じ温度にできる。暖房用水の温度（Ｆ点）は、上述したように、給湯用水の流量の減少前（図６）よりも、暖房用水の温度の一時的な低下が比較的小さい給湯用水の流量の減少後（図７）の方が高くなる。
【００９６】
以上のようなメカニズムにより、給湯加熱運転と暖房加熱運転が同時に実行される場合に、制御装置１００が給湯用水循環ポンプ２２の回転数を減少させてタンク１０とヒートポンプ５０の間を循環する給湯用水の流量を減少させる減少処理を実行すると、三流体熱交換器５８から流出する給湯用水の温度が変化することなく、三流体熱交換器５８から流出する暖房用水の温度が上昇する。そのため、給湯用水の流量の減少後（図７）では、三流体熱交換器５８から流出する給湯用水の温度を低下させることなく、三流体熱交換器５８から流出する暖房用水の温度（Ｆ点）を消火基準温度（４５℃）まで高めることができる。その結果、暖房用バーナ８２を消火することができ、暖房用バーナ８２における燃料の燃焼を抑制してエネルギー効率を高めることができる。
【００９７】
また、上記の給湯暖房システム２は、ヒートポンプ５０によって加熱された暖房用水の温度を検出するサーミスタ８９を備えている。この給湯暖房システム２では、給湯加熱運転と暖房加熱運転が同時に実行され、かつ、補助加熱運転が実行されていない状態で、サーミスタ８９によって検出される暖房用水の温度が所定の第１基準温度（例えば４０℃）以下である場合に、制御装置１００が、給湯用水循環ポンプ２２の回転数を減少させてタンク１０とヒートポンプ５０の間を循環する給湯用水の流量を減少させる減少処理を実行する（ステップＳ１３１、Ｓ１３４参照）。
【００９８】
この構成によれば、上記と同様のメカニズムにより、制御装置１００がタンク１０とヒートポンプ５０の間を循環する給湯用水の流量を減少させると、三流体熱交換器５８から流出する給湯用水の温度を低下させることなく、三流体熱交換器５８から流出する暖房用水の温度を高めることができる。そのため、給湯用水の流量の減少後（図７）では、暖房用水の温度（Ｆ点）を点火基準温度（３６℃）以上に維持することができ、暖房用バーナ８２が消火している状態を維持することができる。その結果、暖房用バーナ８２における燃料の燃焼を抑制してエネルギー効率を高めることができる。
【００９９】
また、上記の給湯暖房システム２では、給湯加熱運転と暖房加熱運転が同時に実行され、かつ、補助加熱運転が実行されていない状態で、サーミスタ８９によって検出される暖房用水の温度が所定の第１基準時間（例えば１分）にわたって所定の第１基準温度（例えば４０℃）以下である場合に、制御装置１００が、減少処理を実行してもよい（ステップＳ１３１、Ｓ１３４参照）。
【０１００】
この構成によれば、暖房用水の温度が第１基準温度以下であるか否かを制御装置１００が判断する際に第１基準時間の猶予がある。そのため、暖房用水の温度が短時間のうちに突発的に変化したとしても、猶予期間（第１基準時間）内での温度変化であれば、減少処理が実行されない。したがって、暖房用水の温度が突発的に変化したとしても、それによって給湯用水の流量が減少することがなく、給湯用水の流量を適切に管理することができる。これによって、暖房用水の温度を適切に管理することができる。
【０１０１】
また、給湯暖房システム２は、タンク１０に蓄えられている給湯用水の蓄熱量を検出するサーミスタ１２、１４、１６、１８を備えている。サーミスタ１２、１４、１６、１８によって検出される蓄熱量が所定の第２基準蓄熱量（例えば３０Ｌの貯湯量に対応する蓄熱量）に満たない場合に、制御装置１００が、減少処理を禁止する（ステップＳ１３２、Ｓ１４２参照）。
【０１０２】
タンク１０の蓄熱量が所定の第２基準蓄熱量に満たない場合には蓄熱量を速やかに増大させることが望ましい。この場合には、ヒートポンプ５０によって加熱される給湯用水の流量を減少させることは望ましくない。したがって、この場合には、制御装置１００が減少処理を禁止する。この構成によれば、ヒートポンプ５０によって加熱される給湯用水の流量を維持することができ、給湯用水の流量が減少しない分だけ多くの給湯用水を加熱することができ、タンク１０の蓄熱量を速やかに増大させることができる。
【０１０３】
以上、一実施例について説明したが、具体的な態様は上記実施例に限定されるものではない。以下の説明において、上述の説明における構成と同様の構成については、同一の符号を付して説明を省略する。
【０１０４】
他の実施例では、図８に示すように、給湯用水の第２増減処理において、制御装置１００がステップＳ１５１の処理を実行してもよい。ステップＳ１５１は、ステップＳ１３３、Ｓ１３４およびＳ１３５の後に実行される。ステップＳ１５１では、制御装置１００が、サーミスタ８９によって検出される暖房用水の温度を監視し、検出される暖房用水の温度が所定の第２基準温度（例えば４２℃）以上であるか否かを判断する。暖房用水の温度が第２基準温度（例えば４２℃）以上である場合は、ステップＳ１５１で制御装置１００がＹＥＳと判断してステップＳ１４１に進む。一方、暖房用水の温度が第２基準温度以上でない（未満である）場合は、制御装置１００がＮＯと判断してステップＳ１３３に戻る。第２基準温度（例えば４２℃）は、上述した第１基準温度（例えば４０℃）より高い温度である（図３参照）。
【０１０５】
ステップＳ１５１では、制御装置１００が、暖房用水の温度が所定の第２基準時間にわたって所定の第２基準温度以上であるか否かを判断してもよい。ステップＳ１５１における第２基準時間は例えば１分３０秒である。暖房用水の温度が第２基準時間（１分３０秒）にわたって第２基準温度（４２℃）以上である場合は、ステップＳ１５１で制御装置１００がＹＥＳと判断してステップＳ１４１に進む。そうでない場合は、制御装置１００がＮＯと判断してステップＳ１３３に戻る。なお、ステップＳ１５１以外のステップＳ１３１〜Ｓ１４２の処理については上述したので詳細な説明を省略する。
【０１０６】
上記の給湯暖房システム２では、減少処理が実行された後に、給湯加熱運転と暖房加熱運転が同時に実行され、かつ、補助加熱運転が実行されていない状態で、サーミスタ８９によって検出される暖房用水の温度が所定の第２基準温度（例えば４２℃）以上である場合は、制御装置１００が、給湯用水循環ポンプ２２の回転数を増大させてタンク１０とヒートポンプ５０の間を循環する給湯用水の流量を増大させる増大処理を実行する（ステップＳ１３４、Ｓ１５１、Ｓ１４２参照）。
【０１０７】
減少処理が実行された後に、給湯加熱運転と暖房加熱運転が同時に実行され、かつ、補助加熱運転が実行されていない状態で、サーミスタ８９によって検出される暖房用水の温度が所定の第２基準温度以上である場合には、暖房用水の温度が十分に高くなっていると考えられるので、暖房用水の加熱に利用される熱量を減少させてもよい。また、減少処理が実行された後の給湯暖房システム２では、タンク１０への蓄熱に長時間を必要とするので、給湯暖房システム２の動作を通常の動作に復帰させることが好ましい。そのため、この場合には、制御装置１００が増大処理を実行する。この構成によれば、給湯加熱運転と暖房加熱運転が同時に実行されている状態でヒートポンプ５０によって加熱される給湯用水の流量が増大するので、給湯用水の加熱に利用される熱量が相対的に増大し、暖房用水の加熱に利用される熱量が相対的に減少する。また、給湯暖房システム２の動作を通常の動作に復帰させることができる。
【０１０８】
また、上記の給湯暖房システム２では、減少処理が実行された後に、給湯加熱運転と暖房加熱運転が同時に実行され、かつ、補助加熱運転が実行されていない状態で、サーミスタ８９によって検出される暖房用水の温度が所定の第２基準時間（例えば１分３０秒）にわたって所定の第２基準温度（例えば４２℃）以上である場合に、制御装置１００が増大処理を実行してもよい（ステップＳ１３４、Ｓ１５１、Ｓ１４２参照）。
【０１０９】
この構成によれば、暖房用水の温度が第２基準温度以上であるか否かを制御装置１００が判断する際に第２基準時間の猶予がある。暖房用水の温度が短時間のうちに突発的に変化したとしても、猶予期間（第２基準時間）内での温度変化であれば、増大処理が実行されない。そのため、暖房用水の温度が突発的に変化したとしても、それによって給湯用水の流量が増大することがなく、給湯用水の流量を適切に管理することができる。これによって、暖房用水の温度を適切に管理することができる。
【０１１０】
以上、本明細書に開示の技術の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書又は図面に説明した技術要素は、単独であるいは各種の組合せによって技術的有用性を発揮するものであり、出願時請求項記載の組合せに限定されるものではない。
【符号の説明】
【０１１１】
２          ：給湯暖房システム
４          ：タンクユニット
６          ：ヒートポンプユニット
８          ：熱源機ユニット
１０        ：タンク
２０        ：タンク水循環路
２２        ：給湯用水循環ポンプ
２４        ：水道水導入路
２４ａ      ：第１導入路
２４ｂ      ：第２導入路
３０        ：混合弁
３２        ：水道水供給源
３３        ：熱源機バイパス路
３４        ：バイパス弁
３６        ：第１給湯路
３７        ：給湯加熱路
３８        ：給湯栓
３９        ：第２給湯路
５０        ：ヒートポンプ
５２        ：冷媒循環路
５４        ：空気熱交換器
５６        ：ファン
５８        ：三流体熱交換器
６０        ：膨張弁
６２        ：圧縮機
６４        ：冷媒バイパス路
６６        ：開閉弁
７０        ：シスターン
７２        ：暖房往路
７３        ：第１暖房加熱路
７４        ：暖房用水循環ポンプ
７５        ：低温暖房循環路
７６        ：高温暖房機
７７        ：高温暖房循環路
７８        ：低温暖房機
８１        ：給湯用バーナ
８２        ：暖房用バーナ
８４        ：第１暖房復路
８８        ：第２暖房加熱路
８９        ：サーミスタ
９０        ：暖房用水調整弁
９１        ：浴槽水循環路
９４        ：ＨＰバイパス路
９６        ：第２暖房復路
１００      ：制御装置
【図１】
2019035562.tif 000003
【図２】
2019035562.tif 000004
【図３】
2019035562.tif 000005
【図４】
2019035562.tif 000006
【図５】
2019035562.tif 000007
【図６】
2019035562.tif 000008
【図７】
2019035562.tif 000009
【図８】
2019035562.tif 000010